Podtech/llm-jp-corpus-v4-ja_patent huggingface dataset:
(57)【要約】【課題】  既存のオートマテック車の右足による誤動作を皆無にする為、左足専用ブレーキの実用化と、普及を加速させ、右足ブレーキの固定観念を根本から見直し、世界共通の規格化が  急務である。大衆車への応用と弱者にも配慮した、廉価かつ簡便なオプションパーツの実用化は、本発明の大きな狙いである。【解決手段】運転初心者は初めから左足でブレーキ操作を訓練させれば良く、また右足に慣れた運転者に対しては、左足ブレーキ専用の効能を理解させ、本発明の左足専用ブレーキペダルの装着を機会に、僅かな時間で習熟出来る安心感と、簡単な運転トレーニングシュミレーション装置の利活用や、免許更新の機会など  安全教育にも生かすことが有効である。【選択図】図１
2012106708.tif 000002
【特許請求の範囲】
【請求項１】
既存のオートマティック車のブレーキペダルに簡単且つ安全に取り付け可能な左足専用ブレーキペダルカバー
【請求項２】
新規生産車及びブレーキペダルのオプションパーツとして、オートマティック車のブレーキペダルを本発明の左足専用のペダルの形状に類似させて製造ならびに販売してはならない。、
（イ）左足側にサイズを拡大させること
（ロ）ペダルの踏面を右傾斜の勾配をつけること
（ハ）ペダルの右端に凸形のすべり止めを設けること
（ニ）ブレーキペダルとアームの一体形であっても、左足専用ブレーキと呼称してはいけない。
【発明の詳細な説明】
【技術分野】
【０００１】既製のオートマティック車は右足による誤動作から急発進や衝突事故が発生している。ブーキペダルの形状及び位置を変え、誤動作を回避できる左足専用ブレーキペダルカバーを開発した。
【背景技術】
【０００２】既製のオートマティック車はアクセルとブレーキのペダルが近接しかつ、目視できずに感と馴れを前提に右足で踏み分けており、過去  約７，０００件の誤動作事故を引き起こしている。
【発明の概要】
【発明が解決しようとする課題】
【０００３】既製のオートマティック車は次のような欠点がある。
１）加速と制動は右足のみの踏み分け操作で、ペダルの相対位置が近接し、制動時にペダル位置は目視できずに感で咄嗟に踏み込むため、アクセルの誤動作を事前に分別できない。
２）ゴーカート、レーサー、フォークリフト、ショベルカーなど、既に左足ブレーキは特定分野で使用されているが、市販車のブレーキをメカ的に改造することなく、左足専用に簡便に変更する方法が未だ無い。
３）左足ブレーキの効果と普及は、短時間に慣れることと、左足がスムーズに確実にペダルに載せやすいことが重要。
【課題を解決するための手段】
【０００４】１）ブレーキペダルの形状及び位置を左足用に▲１▼左側に拡張し、踏み位置を左足に近づける、▲２▼左足がフットレスト位置から、ブレーキペダルにスムーズに移行し、クイックスタートがし易い様に、ペダルの踏面を緩やかな勾配を付ける、▲３▼ペダルの右端には凸形の滑り止めストッパーを設ける。
２）既存車の改造を優先させるため、簡便かつ耐久性や安全性を高めた、独自デザインのブレーキペダルカバーを発明した。
【発明の効果】
【０００５】１）アクセルは右足専用のまま、ブレーキは左足使用が簡単にできる機能であることと人間工学的にも単純な思考を生かし、誤動作を皆無に出来る合理的な発明である。
２）左足専用ブレーキペダルカバーを装着する事により、制動のタイミングや安全意識が高まり、事故の抑制に即効性が有る。
３）一般のオートマティック市販車のブレーキペダルを対象に装着が可能である。
【図面の簡単な説明】
【０００６】
【図１】オートマティック車専用ブレーキペダルカバー
【図２】既存車への装着図
【発明を実施するための形態】
【０００７】（イ）既存車のブレーキペダルの寸法に合わせて、後から取付できるように、固定金具とアジャストボルトによる調整可能な構造で、緩み防止及び耐久性を重視した堅牢な構造とする。
（ロ）市販車の制動システム及び保安基準等に対しは、一斉変更を伴わず、オプションパーツとして個人的にも脱着が可能なアタッチメントである。
【符号の説明】
【０００８】▲１▼左足専用ブレーキペダルカバー
▲２▼固定用金具
▲３▼アジャストボルト
▲４▼ロックナツト
▲５▼ペダルパット（合成ゴム等のすべり防止シート）
【図１】
2012106708.tif 000003
【図２】
2012106708.tif 000004
(57)【要約】【課題】二輪車で牽引する二輪のリヤカーは自転車、原動機付自転車などで牽引されて広く普及しているが、牽引する二輪車は旋回時に旋回による遠心力に応じて車体を傾斜させてバランスを保つが、二輪リヤカーに置いては遠心力に応じて傾斜しない為に、高速での旋回や、未舗装など凹凸の激しい路面で方輪のみバウンドする事で、荷崩れや転倒の可能性が生じる。【解決手段】リヤカーの車輪を一輪とし、上下左右に首を振り、傾斜方向を固定したユニバーサルジョイント状の連結具を用いて、牽引する二輪車の傾斜に合わせて牽引されるリヤカーにも同一の傾斜を生じさせてバランスのとれた走行を可能にし、凹凸の激しい路面でも車輪が一輪である為にリヤカー全体が上下方向のみにバウンドするので、荷崩れ転倒などの可能性を軽減する。【選択図】図１
2012106655.tif 000002
【特許請求の範囲】
【請求項１】
二輪車の旋回時に二輪車の傾斜に合わせて傾斜する一輪のリヤカー。
【請求項２】
二輪車の旋回時に二輪車とリヤカーの傾斜に合わせて変化する連結角度を吸収する為のユニバーサルジョイントを備えたリヤカー。
【発明の詳細な説明】
【技術分野】
【０００１】
本発明は、二輪車で牽引するリヤカーに関するものである。
【背景技術】
【０００２】
ボールジョイント式の上下左右に首を振って二輪車の傾斜を吸収する、傾斜方向にも可動する自在継ぎ手による連結を介して二輪車で牽引する左右に車輪を有する二輪のリヤカーは自転車、原動機付自転車などで牽引されて広く普及している。
【０００３】
しかし、高速であったり小さい旋回半径で旋回すると荷崩れや転倒の可能性がある。
【０００４】
また、未舗装であるなど凹凸の激しい路面では方輪のみバウンドする事でも荷崩れや転倒の可能性が生じる。
【発明の概要】
【発明が解決しようとする課題】
【０００５】
解決しようとする問題点は、牽引する二輪車は旋回時に旋回方向と反対向きの遠心力に応じて車体を旋回方向に傾斜させる事で搭乗者や積載物のバランスを保つが、牽引される二輪リヤカーに置いては遠心力に応じた傾斜を生じさせられない点である。
【０００６】
また、路面の凹凸で方輪のみバウンドする事で不安定な状況を生じる問題も解決する。
【課題を解決するための手段】
【０００７】
本発明は、リヤカーの車輪を一輪にする事により牽引する二輪車の傾斜に合わせて、牽引されるリヤカーにも同一の傾斜を生じさせる連結具を用いる事を最も主要な特徴とする。
【発明の効果】
【０００８】
本発明のリヤカーは、車輪を一輪とし、上下左右に首を振り、傾斜方向を固定したユニバーサルジョイント状の連結具を用いて、牽引する二輪車の傾斜に合わせて牽引されるリヤカーにも同一の傾斜を生じさせてバランスのとれた走行を可能にする。
【０００９】
本発明のリヤカーは、車輪を一輪とする為、凹凸の激しい路面でもリヤカー全体が上下方向のみにバウンドするので、荷崩れ転倒などの危険性を軽減する。
【図面の簡単な説明】
【００１０】
【図１】図１は自転車に装着した場合の全体図である。
【図２】図２は自転車に装着する連結器具である。
【図３】図３はリアカーである。
【符号の説明】
【００１１】
１    二輪車とリアカーの連結軸
２    リアカーの縦方向回転軸
【図１】
2012106655.tif 000003
【図２】
2012106655.tif 000004
【図３】
2012106655.tif 000005
(57)【要約】【課題】本発明は、遮光メガネ等に於ける、眼の左右側面の横目視界を視覚認識で判断できるメガネを提供する。【解決手段】無枠のフロントレンズ部（１）と一体になっている、サイドレンズ部（２）を設ける。またサイドレンズ部（２）に直結して特殊な超小形の蝶番（５）を設ける。さらにこの蝶番（５）に直結して、側面固定パッド（３）を設けた短テンプル（４）を設ける。この短テンプル（４）に一体に直結して、先セル部（６）を設ける。またはフロントレンズ部（１）に、メタル細線のノーズブリッジ（７）を設けるタイプも良い。【選択図】図２
2012181489.tif 000002
【特許請求の範囲】
【請求項１】
無枠のフロントレンズ部（１）と一体になっている、サイドレンズ部（２）を設け、サイドレンズ部（２）に直結して蝶番（５）を設け、さらにこの蝶番（５）に直結して、側面固定パッド（３）を設けた短テンプル（４）を設け、この短テンプル（４）に一体に直結して、先セル部（６）を設ける、このような特徴に形成および構成されてなる、全視界パノラマ遮光メガネ。
【請求項２】
フロントレンズ部（１）に、メタル細線のノーズブリッジ（７）を設けた請求項１記載の、全視界パノラマ遮光メガネ。
【発明の詳細な説明】
【技術分野】
【０００１】  本発明は、日常使用するメガネに関するものである。
【背景技術】
【０００２】  現在、多くの人々が利用しているメガネは、前枠にフロントレンズが嵌め込まれて、さらにブリッジ、ノーズパット、蝶番、テンプル、先セルと繋がって構成されている。
【発明の開示】
【発明が解決しようとする課題】
【０００３】  近年多くのユーザーは、これがメガネであると思っている程、この形は普及している。しかしながら、これらのメガネはフレームである、目の側面に付いているテンプル部分と、目の全面のフロント枠部分、蝶番部分、鼻アテのノーズパット等により、前方の視界は普通として、特に側面の視界をかなり悪化させている。これは自動車を運転していると感じるが、停止中は左右の視界を確認する場合、顔を左右に振れば良いが、走行中はそんな事は出来ない。つまり横目で見ている事が多いのである。この状況は側面の視界が、これら前記フレーム等により非常に邪魔されており、特に右ハンドルでは左折時に左側面から来る、通行人や自転車が急に目に入る事があり、最悪時は自転車と接触事故になる場面を、目にすることがある。つまりこれらメガネに使用されている、前記フレーム等のメガネの付属パーツが、側面視界を阻害しているのである。
これらを改善するためにも、本発明はなされたのである。
【課題を解決するための手段】
【０００４】  これらの課題を解決する手段として、図２図３のごとく無枠のフロントレンズ部（１）と一体物で成型した、サイドレンズ部（２）を設ける。このサイドレンズ部（２）は耳の近くまで設けられている。つぎにサイドレンズ部（２）に直結して超小形の蝶番（５）を設ける。さらにこの超小形の蝶番（５）に直結して、側面固定パッド（３）を設けた短テンプル（４）を設ける。この短テンプル（４）に一体に直結して、先セル部（６）を設ける。この側面固定パッド（３）は使用者のコメカミ近くにセットするように設けられている。
また目線視界に影響しないような、図４のごとくフロントレンズ部（１）に、メタル細線のノーズブリッジ（７）を設けたタイプも形成されている。
本発明は以上のような構成よりなる、全視界パノラマ遮光メガネである。
【発明の効果】
【０００５】１．メガネのフレーム等が無い事と、遮光レンズが左右の目の側面まで、覆っている事で無意識の横目視界が広がり、極めて良好なる全視界状況になり安全に寄与する。
２．ノーズブリッジ（７）の付いているタイプも、１．に同じである。
３．部品点数の少ないシンプル構造であるので、低コスト化が可能である。
【発明を実施するための最良の形態】
【０００６】  まず無枠のフロントレンズ部（１）と一体に成型した、サイドレンズ部（２）を設ける。図１、図２で見れるように、メガネのフレーム枠とかノーズパットは使用されていないので、目の視界をさえぎるものは無く、スッキリとした１枚レンズで構成されている。そしてこのサイドレンズ部（２）は耳の近くまで設けられている。つぎにサイドレンズ部（２）に直結して超小形の蝶番（５）を設ける。この蝶番（５）は利用者の頭のサイズに合わせる調整用に設ける。さらにこの超小形の蝶番（５）に直結させて、側面固定パッド（３）を設けた短テンプル（４）を設ける。該パッドは柔らかな弾力性で、本発明をこめかみ付近でフィットさせている。さらにこの短テンプル（４）に一体に直結して、先セル部（６）を設ける。この該セル部により、利用者の耳の一部にソフトに挟みこまれて、メガネの固定に大いに役立てている。また目線視界に影響しないような、図４のごとくフロントレンズ部（１）に、メタル細線のノーズブリッジ（７）を設けた動きの激しい状況にも、耐えられるタイプも形成されている。さらに本発明によれば、遮光レンズの利用者に大事な視界を得るには、このレンズの配色が重要であり、レンズカラーとしては、イエロー系は特にコントラスト効果が一番大きい色調であり、見る対象物を明るくする効果があり、ブラウン系やグリーン系は眼部の炎症の保護効果があり、ブルー系は防眩効果が一番高いとされており、該レンズ部はこの色調を適度に配色する。
本発明は以上のような構成であり、これを使用せんとするときには、【０００７】  普通の眼鏡としてかければ良い。とくにワイドなレンズ部は視界的に解放感が大きくまた、独自の側面固定パッド（３）は頭部のこめかみ部分に、柔らかくフィットされてさらに小さな耳掛けである、短テンプル（４）と先セル部（６）が、まるで無接触のごとく耳に挟まれる。つまり該固定パッドと先セル部（６）のソフト固定で、レンズ部は鼻には無接触状態で、セットされる。そしてレンズ部は眼の側面全体を余裕を持って覆いこんでいるので、横目線視界（８）は十分取れている。
【図面の簡単な説明】
【０００８】
【図１】  本発明の装着実施図である。
【図２】  本発明の斜視図である。
【図３】  本発明の上面より見た、装着説明図である。
【図４】  本発明のノーズブリッジ付タイプの斜視図である。
【符号の説明】
【０００９】１  フロントレンズ部
２  サイドレンズ部
３  側面固定パッド
４  短テンプル
５  蝶番
６  先セル
７  ノーズブリッジ
８  横目線視界
【図１】
2012181489.tif 000003
【図２】
2012181489.tif 000004
【図３】
2012181489.tif 000005
【図４】
2012181489.tif 000006
(57)【要約】      （修正有）【課題】境界点プレート標の正確な設置のための作業性を向上させる。【解決手段】境界点プレート標設置固定定規を使用する。【選択図】図２
2012181179.tif 000002
【特許請求の範囲】
【請求項１】
▲１▼当特許出願は、一般土木、建設、測量作業等で使用される、土地及び道路等の境界点に設置する、プレート標を正確に永年保存するため、アンカーボルトでプレート標を（接着剤、ボンド等で）固定しておりますが、取付下地がコンクリート面のため、ドリルで正確な位置にアンカーボルト用の穴を開けることが困難です。
▲２▼尚、現在のプレート標の大きさは（一辺４．ｃｍ〜５．ｃｍ平方以下）と小さいため、固定がむずかしく、位置のずれ等により正確な位置に設置できません。
▲３▼よつて私が考案した、プレート標固定定規を境界点位置に設定して、アンカーボルト用の穴を開けプレート標を正確に設置できる。
【発明の詳細な説明】
【技術分野】
【０００１】この発明は、土木建設、測量作業現場にて境界点に、各種プレート標を正確な位置に早く、アンカーボルト用の穴を開け（接着ボンドで）固定し、アンカーボルトを打ち込んで設置する。
【背景技術】
【０００２】従来のプレート標取付けは、設定位置にプレート標を左手で押え、右手にドリルでアンカーボルト用の穴を開けていたので、正確に固定できず、位置のずれが生じて、正しい位置に設置できませんでした。
【発明の効果】
【０００３】プレート標固定定規の空きスペースを両足で押て微動を止めることができる。
下地の（コンクリート側溝）に無駄な穴を開けず、損傷させない。
正しい位置に早く設置できる。
【図面の簡単な説明】
【０００４】全体図及び部分図を（平面、透視、断面、構造）図に区分して表示。
【図１】１段目（接地面鉄板）型枠平面図
【図２】プレート標固定定規の断面全体図
【図３】２段目（スライド用レール支え）平面図
【図４】３段目（スライド用レール押え）平面図
【図５】内側（接地面用）スライド定規平面図
【図６】スライド定規押え平面図
【図７】プレート標定規中央部断面図
【図８】スライド定規移動つまみ平面図
【符号の説明】
【０００５】▲１▼  プレート標固定定規鉄板、全体図
▲２▼  プレート標挿入口切込部分
▲３▼  足踏固定用スベリ止め
▲４▼  スライド用レール（左右）支え鉄板
▲５▼  スライド用（左右）レール固定鉄板
▲６▼  スライド用前後移動定規鉄板
▲７▼  スライド用定規の固定鉄板
▲８▼  スライド用定規の移動用つまみ
▲９▼  スライド定規止め
【図１】
2012181179.tif 000003
【図２】
2012181179.tif 000004
【図３】
2012181179.tif 000005
【図４】
2012181179.tif 000006
【図５】
2012181179.tif 000007
【図６】
2012181179.tif 000008
【図７】
2012181179.tif 000009
【図８】
2012181179.tif 000010
(57)【要約】【課題】紙または樹脂板、またはその両方の材料でできた組み立て式ボードスタンドは軽量で、さらにこの組み立て式ボードスタンドに固定されるポスターなど掲示物を貼付したボードまたはレフ板などもボール紙または発泡スチロールなどの軽量な材料で製作され、組み立て式ボードスタンドにポスターなどの掲示物を貼付したボードまたはレフ板などを固定し一体となった後の重量も軽量であるため風や振動、人の接触などの力を受けることで容易に転倒、移動していた。【解決手段】紙または樹脂板、またはその両方の材料でできた組み立て式ボードスタンドに、水またはその他の液体を封入したペットボトル・水筒などの容器を取り付けできる構造を設け、水またはその他の液体を封入したペットボトル・水筒などを錘として取り付けることにより、このボードスタンドに固定され一体となったポスターなどの掲示物を貼付したボードまたはレフ板などが風や振動、人の接触などの力を受けても容易に転倒、移動しない錘を取り付けできる構造とした。【選択図】図４
2012128380.tif 000002
【特許請求の範囲】
【請求項１】
紙または樹脂板、またはその両方の材料でできた組み立て式ボードスタンドに、スタンドが自立するための構造を利用し、水またはその他の液体を封入したペットボトル、水筒などの容器を取り付けできる構造を設け、水またはその他の液体を封入したペットボトル、水筒などを錘として取り付けることにより、組み立て式ボードスタンドに固定され一体となったポスターなどの掲示物を貼付したボードまたはレフ板などが風や振動、人の接触などの力を受けても容易に転倒、移動しないように錘を取り付けできる構造を持った組み立て式ボードスタンド。
【請求項２】
紙または樹脂板、またはその両方の材料でできた組み立て式ボードスタンドに、スタンドが自立するための構造を利用し、錘を取り付けできる構造を設け、この組み立て式ボードスタンドに固定され一体となったポスターなどの掲示物を貼付したボードまたはレフ板などが風や振動、人の接触などの力を受けても容易に転倒、移動しないように錘を取り付けできる構造を持った組み立て式ボードスタンド。
【発明の詳細な説明】
【技術分野】
【０００１】この発明は、組み立て式ボードスタンドの構造に関する。
【背景技術】
【０００２】従来の組み立て式ボードスタンドは軽量で、風や振動、人の接触などで容易に転倒、移動していた。
【発明の概要】
【発明が解決しようとする課題】
【０００３】しかしながら、以上の技術によれば、組み立て式ボードスタンドを使用する場合、紙または樹脂板、またはその両方の材料でできた組み立て式ボードスタンドは軽量で、ポスターなどの掲示物を貼付したボードまたはレフ板もボール紙または発泡スチロールなどの軽量な材料で製作され、組み立て式ボードスタンドにポスターなどの掲示物を貼付したボードまたはレフ板を固定し一体とした後の重量も軽量で、風や振動、人の接触などの力を受けることで容易に転倒、移動していた。そこで、この発明は、組み立て式ボードスタンドに錘を取り付けできる構造を設け、風や振動、人の接触などの力を受けても容易に転倒、移動しないように錘を取り付けできる組み立て式ボードスタンドを提供することを課題とする。
【課題を解決するための手段】
【０００４】以上の課題を解決するために、発明は、組み立て式ボードスタンドが自立するための構造を利用し、錘を取り付けできるようにし、風や振動、人の接触などの力を受けても容易に転倒、移動しないことを特徴とする組み立て式ボードスタンドである
【発明の効果】
【０００５】請求項１に記載の発明によれば、水またはその他の液体を封入したペットボトル、水筒などの錘を組み立て式ボードスタンドの自立構造に取り付けることにより、風や振動、人の接触などの力を受けても容易に転倒、移動せず利便性が向上する。【０００６】また、組み立て式ボードスタンドが自立するための構造を利用し、錘を取り付けできる構造としているため、組み立て式ボードスタンドが自立するための構造に付加する構造体が不要で安価に実施できる。【０００７】さらに、錘がペットボトル、水筒などに水またはその他の液体を封入した、容易に入手できる安価なものであるため、さらに利便性が向上する。【０００８】請求項２に記載の発明によれば、組み立て式ボードスタンドが自立するための構造を利用し、錘の形状、種類によらず、錘を安定的に取り付けできる構造を設けることで、風や振動、人の接触などの力を受けても容易に転倒、移動せず利便性が向上する。
【図面の簡単な説明】
【０００９】
【図１】本発明の組み立て式ボードスタンド正面図
【図２】本発明の組み立て式ボードスタンド斜視図
【図３】本発明の一実施形態を示す斜視図
【図４】本発明の一実施形態を示す斜視図
【発明を実施するための形態】
【実施例】
【００１０】以下、本発明を具体化した実施形態を図面に基づいて説明する。【００１１】図１に示すように、紙または樹脂板、またはその両方の材料をプレス抜きし、折り目などを形成した組み立て式ボードスタンドを製作する。【００１２】図２に示すように、折り目を折り込み、組み立て式ボードスタンドを組み立てる。図３に示すように、ボール紙または発泡スチロールなどでできたポスターなどの掲示物を貼付したボードまたはレフ板を両面テープ、接着剤などで取り付け、一体とする。【００１３】図４に示すように、ボール紙または発泡スチロールなどでできたポスターなどの掲示物を貼付したボードまたはレフ板と一体となった組み立て式ボードスタンドに水またはその他の液体を封入したペットボトル、水筒などの錘を取り付けることにより、ボール紙または発泡スチロールなどでできたポスターなどの掲示物を貼付したボードまたはレフ板と一体となった組み立て式ボードスタンドとなる。【００１４】「実施形態の効果」
この実施形態によれば、ボール紙または発泡スチロールなどでできたポスターなどの掲示物を貼付したボードまたはレフ板と一体となった組み立て式ボードスタンドには錘があり、風や振動、人の接触などの力を受けても容易に転倒、移動しない組み立て式ボードスタンドとなる【００１５】「他の実施形態」
図４の実施形態では、水またはその他の液体を封入したペットボトル、水筒などを錘として使用する代わりに、丸穴の部分と住宅や店舗の構造部などをひもなどでくくりつけてもよい。
【符号の説明】
【００１６】１  組み立て式ボードスタンド
２  ボール紙または発泡スチロールなどでできたポスターなどの掲示物を貼付したボードまたはレフ板など
３  水またはその他の液体を封入したペットボトル、水筒など
【図１】
2012128380.tif 000003
【図２】
2012128380.tif 000004
【図３】
2012128380.tif 000005
【図４】
2012128380.tif 000006
(57)【要約】【課題】電車内の乗客にとって、窓の外に見える広告看板は、駅に停車している時にしか見る事ができなかった。電車内の乗客にとって広告媒体は車内吊、車内壁、ドアに貼られて有り、近くの乗客しか見ることができなかった。【解決手段】線路脇に広告看板を一定間隔に多数連続的に設置すことにより、窓の外に見える広告看板は視覚の残像効果により、静止画またわ動画としてすべての乗客が見ることができる。【選択図】図１
2012128381.tif 000002
【特許請求の範囲】
【請求項１】
一定間隔に多数連続的に設置すことを特徴とする看板の設置方法。
【請求項２】
画像を違えることによる、静止画と動画が見えることを特徴とする看板の設置方法。
【請求項３】
照明装置を付けることにより、夜間またわトンネル内でも見えることを特徴とする看板の設置方法。
【発明の詳細な説明】
【技術分野】
【０００１】  この発明は、電車に乗車した人が窓の外を見た時の広告看板に関する。
【背景技術】
【０００２】  従来の広告看板は、電車の線路脇に有り停車時しか見る事ができなかった。
【先行技術文献】
【特許文献】
【０００３】
【特許文献１】特開２００６−２１５５０６
【発明の概要】
【発明が解決しようとする課題】
【０００４】  走っている電車の車内から全ての窓を見た時に、広告看板が見えるようにした広告看板を提供することを課題とする。
【課題を解決するための手段】
【０００５】  以上の課題を解決するために、第一発明は、広告看板を一定間隔に多数連続的に設置することを特徴とする広告看板の設置方法である。
また、第二発明は、広告看板の画像を同一とすると静止画像が見える、またわ画像を一枚一枚違う画像にすることにより、動画としてみることが出来る。
また、第三発明は、広告看板に照明装置を付けることにより、夜間またわトンネル内でも見ることが出来る。
【発明の効果】
【０００６】  第一発明、またわ第二発明によれば、走っている電車の車内の何処からでも窓の外を見た時に、静止画またわ動画が見ることができる。
【図面の簡単な説明】
【０００７】
【図１】この発明の一実施形態を示す斜視図である。
【図２】この発明の一実施形態を示す広告看板の断面図である。
【発明を実施するための形態】
【０００８】  この発明の一実施形態を、図１に示す。
広告看板の本体１は一定間隔で多数連続的に設置されたものである。
広告看板の照明装置の一実施形態を、図２に示す。
【実施形態の効果】
走っている電車の車内の何処からでも窓の外を、映像スクリーンとすることができる。
【符号の説明】
【０００９】１  広告看板
２  照明装置
３  電車
【図１】
2012128381.tif 000003
【図２】
2012128381.tif 000004
(57)【要約】      （修正有）【課題】電子媒体から参照した文章を読者自作の論文や研究報告書などを作成する上で資料上の検索、貼り付け作業を簡易におこなえるシステムを提供する。【解決手段】全電子媒体の文章のファイルを作成するときに、頁、行単位に索引を作成し、本文情報を本文の文字部、絵部、図部などから索引、付録に至る細部にわたり独立したアクセスに対応できるように再構成しておく。さらに『書籍名』『著書名』・・・などの書誌情報を同様に構築しておく。電子書籍への完成した電子媒体をダウンロードして読者へ提供し、この電子書籍から参考となるところを囲い抽出する機能により一時保存領域へ保管する。一連の抽出作業が完了したら外部（読者の論文、研究報告書など）へ送出する。【選択図】図１
2012128820.tif 000002
【特許請求の範囲】
【請求項１】
電子媒体に含む選択された本文（含む：文書・図表および絵「以下選択本文」）の一部ないし全部を単一言語ないし複数言語で保持されている選択本文書誌情報とともに一時記憶領域に保存し、他の電子媒体に当該選択本文または、その選択本文書誌情報あるいは、その両方を選択して挿入するとともに選択本文および選択本文書誌情報を挿入先電子媒体と関連付けて保存する手段を備えた情報処理システム
【請求項２】
前記［請求項１］の情報処理システムにおいて挿入された選択本文または選択本文書誌情報のいずれか一方から表示装置に隠れた他方の情報を随時補助表示装置に表示する手段を有することを特徴とした請求項１に記載の情報処理システム
【請求項３】
請求項１および２の情報処理システムにおいて挿入された選択本文または選択本文書誌情報の現在、表示装置に表示されている一方から隠れている他方に表示を切替変更する手段を有することを特徴とした情報処理システム
【請求項４】
請求項１、２および３の情報処理システムにおいて挿入された選択本文または選択本文書誌情報の一覧を表示する手段を有することを特徴とした情報処理システム
【請求項５】
請求項１、２、３および４の情報処理システムにおいて選択本文書誌情報挿入時あるいは挿入後に書誌の表示形式や記載位置を任意に変更する手段を有することを特徴とする情報処理システム
【発明の詳細な説明】
【技術分野】
【０００１】コンピュータシステムを応用し、電子媒体から参考必要箇所の選択本文及び選択本文書誌情報とともに抽出表示するソフトウェア技術
【背景技術】
【０００２】電子媒体にコンピュータ検索・抽出技術、およびこれらの操作技術を組み込みし、電子媒体から読者がもとめる選択本文および選択本文書誌情報の抜き書きを容易にする
【発明の開示】
【発明が解決しようとする課題】
【０００３】読者が論文、研究発表にともなう資料作成で、引用したい他の電子媒体から引用文を抽出貼り付けで作成の便宜が図れるシステム
【課題を解決するための手段】
【０００４】抽出した選択本文には、抽出箇所の選択本文書誌情報が自動的に添付されるので、一媒体あるいは複数媒体からの作成に手間のかかる選択本文書誌情報の作成作業を大幅に簡略化できる【０００５】作成された選択本文群および選択本文書誌情報群は即時、読者が作成した自作文章（外部媒体の論文、研究資料など）に転送、挿入できる
【発明の効果】
【０００６】電子媒体の利用活用を促進させる
購読者の論文、研究報告などの作成に作業の負担を緩和し、知的生産性を高める
【実施例】
【０００７】特許公開００９−２７７１０７にみられる特許では
１）挿入先の電子媒体も全体のシステムの一部をなさないので引用資料の作成は出来るが論文作成の助けにはならない
２）本全体の書誌情報をあらわすだけで、頁、行数等を書誌情報の中に含むことがないので論文作成には不十分である
これらの問題を解消した、新しい開発システムである
【図面の簡単な説明】
【０００８】
【図１】電子書籍読込みから抽出本文及び抽出本部の選択本文書誌情報の作成から自作文章（論文、作文等）へ選択本文及び選択本文書誌情報の挿入までの処理と操作の説明
【符号の説明】
【００９】Ｉ．電子媒体機器
ＩＩ．電子媒体機器（Ｉにプログラムを展開するエリアが確保できない時に利用する別の機器）
Ｆ−１．電子書籍のオリジナルファイル（サプライヤーから入手した電子ブック）
Ｆ−２．電子本文ファイル（文章・図表・絵などで構成されている）
Ｆ−３．電子書誌情報ファイル（通常は表紙や後部の奥付などに表示されている情報）
Ｆ−４．自作文章ファイル（文章作成ソフトウェアで作られた自分の論文・報告書等々の書類）
Ｆ−５．完成自作文章ファイル（当システムで編集した結果の作業終了したファイル）
Ｄ−１．電子書籍表示装置
Ｄ−２．電子本文表示装置
Ｄ−３．電子書誌情報表示装置
Ｄ−４．Ｐ−４の編集プログラムが利用する電子本文表示装置
Ｄ−５．Ｐ−４の編集プログラムが利用する電子書誌情報表示装置
Ｄ−６．自作文章へ抽出した本文及び書誌情報を挿入作業と挿入結果を確認する表示装置
Ｄ−７．送信監視を送信時起動し、送信ステータスを表示装置（送信中・送信エラー・送信完了等）
Ｄ−８．受信監視を受信時起動し、受信ステータスを表示装置（受信中・受信エラー・受信完了等）
Ｄ−９．自作文章へ挿入された作業結果のＤ−４、Ｄ−５の対比一覧補助表示装置
Ｐ−１．元になる電子ブックから必要な本文部分とその書誌情報を選択抽出するプログラム
Ｐ−２．選択抽出した本文及び書誌情報のファイルを編集プログラムのあるＩＩの電子媒体機器上へ送出するプログラム
Ｐ−３．Ｐ−２で送出された情報を受信するプログラム
Ｐ−４．Ｆ−４から自作文章をＤ−４へ表示しＦ−２からＤ−２へ表示した抽出本文とＦ−３からＤ−３へ表示した抽出書誌情報を切換え（⇔）て表示しながら編集する。
Ｋ−１．Ｐ−１のプログラムで操作キー１選択抽出する範囲（から〜まで）を指定する。
Ｋ−２．Ｐ−１のプログラムでＫ−１作業の変更キー
Ｋ−３．Ｐ−１のプログラムでＫ−１作業の解除キー
Ｋ−４．Ｐ−１のプログラムでＫ−１作業の決定キーこのキーで指定本文を（Ｆ−２へ）と自動的にその書誌情報を（Ｆ−３へ）と一時蓄積する。
Ｋ−５．Ｐ−２の送信プログラムとＰ−３の受信プログラムが同期して実行されるキー。
Ｋ−６．Ｐ−４のプログラムでＦ−４からＤ−６へ表示された自作文章に編集指示を起動するキー。
Ｋ−７．Ｆ−２の電子本文ファイルの編集作業で、挿入先を指定挿入するキー。
Ｋ−８．Ｆ−２の電子本文ファイルの編集挿入先の修正キー。
Ｋ−９．Ｆ−２の電子本文の編集挿入文の削除キー（やり直し）。
Ｋ−１０．Ｆ−３の電子書誌情報の編集挿入位置指定キー。（以下の３種の処理を指定する）
Ｋ−１０ａは書誌情報を電子本文に続く上−ｆ１、下−ｆ２、左−ｆ３、右−ｆ４に指定して挿入するキー。
Ｋ−１０ｂは書誌情報を挿入した電子本文と同じ頁の最下位に挿入指定するキー。
Ｋ−１０Ｃは書＠誌情報を指定した別（索引欄、付録欄等）の頁へ挿入し、挿入された電子本文に続いて後ろ（又は縦書き文の場合は下）へ例えば＊−ｎｎｎ（頁、行など）のように挿入先を印字する。
Ｋ−１１．挿入完了で自作文章の更新をするキー。
【図１】
2012128820.tif 000003
(57)【要約】【課題】従来の木製ケースでは収容量が少なかったり、重量バランスがとれず転倒することがある。【解決手段】蓋の開閉を一方向でなく交互にセットし中間停止機能を利用して転倒の防止が可能となる多段木製ケースとすることにより、従来の単品の木製ケースの概念を無くし、多段、縦横に木製蝶番を装着する木製ケースを連結させることで広さや高さを確保することが容易になった。【選択図】図５
2012236646.tif 000002
【特許請求の範囲】
【請求項１】
複数の木製蝶番を備え、複数の辺部を有する多角形多段木製ケースにおいて、収容部を有する蓋体と第１の辺部において、第１の木製蝶番によって結合され第１の収納部を有する第１の箱体と前記第１の収納部と前記第１の辺部以外の第２の辺部において第２の木製蝶番によって結合された第２の収納部を有する第２の箱体とを有する多段木製ケース。
【発明の詳細な説明】
【技術分野】
【０００１】本発明は、複数の収納部を有する多段木製ケースに関する。
【背景技術】
【０００２】従来の木製ケースは、本出願人の出願にかかわる、特許文献１並びに本出願人に関わる特許文献２によって開示された技術が知られている。
【先行技術文献】
【特許文献】
【０００３】
【特許文献１】実公平  ７−１４２０６号公報
【特許文献２】登録意匠  第１２０５１００号公報
【発明の概要】
【発明が解決しようとする課題】
【０００４】従来の木製ケースでは特許文献１に示されたものは一段式で収納容積が少なく、特許文献２に示されたものは多段式であるが、同一位置の辺部に蝶番を形成しているので重量バランスがとれず転倒することがある。
【課題を解決するための手段】
【０００５】蓋の開閉を一方向でなく交互にセットし中間停止機能を利用して、転倒の防止が可能となる多段木製ケースであって、複数の木製蝶番を備え複数の辺部を有する多角形多段木製ケースにおいて、収容部を有する蓋体と第１の辺部において第１の木製蝶番によって結合され、第１の収納部を有する第１の箱体と前記第１の収納部と前記第１の辺部以外の第２の辺部において、第２の木製蝶番によって結合された第２の収納部を有し第２の箱体とを有する多段木製ケースである。
【発明の効果】
【０００６】従来の単品の木製ケースの概念を無くし、多段縦横に木製蝶番を装着する木製ケースを連結させる事で広さや高さを確保する事が容易になり、収容するための容積を増大できるばかりでなく、多段木製ケースの蝶番を異なった辺部に設けたので転倒を防止できる。
【図面の簡単な説明】
【０００７】
【図１】本発明の一実施例を示す平面図。
【図２】同正面図で（イ）は全体図、（ロ）は部分拡大図。
【図３】同背面図。
【図４】同斜視図。
【図５】同蓋体および箱体を開いた状態を示す斜視図。
【図６】本発明の第二の実施例を示す蓋体および箱体の開いた状態を示す斜視図。
【図７】本発明の第三の実施例を示す蓋体および箱体の開いた状態を示す斜視図。
【発明を実施するための形態】
【０００８】基本形態は特許文献１に起因し、木製蝶番が圧入嵌合されているので摩擦により開閉時に中間停止する機能をする。ケースとして単体の利用をバランスを保ちながら多段に構成し収容量の飛躍的増加を可能とする。図５に示すように、上段にフォトスタンドをセットし保存用の写真や絵手紙を、それぞれのケースに収納して、簡便なフォトや絵手紙の交換が可能となる。臍の緒入れにフォトスタンドをつけて、保管と鑑賞を容易にすることも可能にした。
【実施例】
【０００９】本発明の第１の実施例を図１ないし図５を参照して詳細に説明する。これはいわば縦型のものであり、１はケース本体で収容部を有する蓋体としての木製フレーム２と第１の箱体としての木製ケース上段３と第２の箱体としての木製ケース上段３と第２の箱体としての木製ケース下段４とから構成されている。木製フレーム２と木製ケース上段３とは第１の辺部で第１の木製蝶番ｅ１、ｅ１で結合されていて木製ケース上段３と木製ケース下段４とは第１の辺部とは異なる第２の辺部で第２の木製蝶番ｅ２、ｅ２で結合されている。ａは透明アクリル板で例えば写真、絵手紙などと一緒に、引き出し板ｂ上に載置して木製フレーム１の収容部内に収容されるものである。ｃは収容部を有する木製フレーム２と木製ケース上段３とを仕切る仕切り板で木製フレーム２の収容部の底板を兼ねている、ｄは木製ケース上段３および木製ケース下段４の収納部の底板を形成している。なお図６に示された第二実施例は横型に開くもので、例えば外国からのレターなど横書きのものを収容するのに最適である。図７に示された第３の実施例は縦横型を組み合わせたものを示しその利用範囲は大きい。また箱の形状は上述した長方形のものに限らず正方形、六角形、八角形のものでもよい。なお木製蝶番ｅ１、ｅ２は開閉を繰り返すと緩んでくるが、少量の水を含ませると膨潤して元の機能を発揮するようになる。
【符号の説明】
【００１０】１  ケース本体、２  木製フレーム、３  木製ケース上段  ４  木製ケース下段、ａ  透明アクリル板、ｂ  引き出し板  ｃ  仕切り板、ｄ  底板、ｅ１  第１の木製蝶番、ｅ２  第２の木製蝶番
【図１】
2012236646.tif 000003
【図２】
2012236646.tif 000004
【図３】
2012236646.tif 000005
【図４】
2012236646.tif 000006
【図５】
2012236646.tif 000007
【図６】
2012236646.tif 000008
【図７】
2012236646.tif 000009
(57)【要約】      （修正有）【課題】空気に触れると固まる性質の内容液を絞り出したあと、キャップを閉めるまでの間に漏れ出た内容液が取り出し口の周辺に付着して固まり、キャップの開閉を困難にするのを防止するチューブ容器を提供する。【解決手段】内容液が漏れ出るのはチューブの腹部分４を押さえることにより内部圧力が高いままになっているからで、凹んだ腹部分を戻して圧力を下げればよい。そこでチューブの丸みに応じて膨らんだ弾力性のある半円鋼板を上下２枚、逆に合わせて蝶番で結合させて出来る円形のバネ３を、チューブの腹部分とバネの上下の膨らみ部分、及びチューブの背部分５とバネの左右両端部分がそれぞれ一致する位置に、チューブ内に装着する。これによりチューブの腹部分を押さえて内容液を出した後、背部分を押さえると円形の性質から凹んだ膨らみが戻り、結果内部圧力が低くなり余分な液が漏れ出て抽出口が固まることはない。【選択図】図２
2012236645.tif 000002
【特許請求の範囲】
【請求項１】
チューブの腹部分４の丸みに応じて膨らんだ弾力性のある半円鋼板１を上下２枚、逆に合わせて蝶番２で結合させて出来る円形のバネ３を、チューブの腹部分を押さえたときはバネの上下の膨らみ部分が押さえられ、チューブの背部分を押さえたときはバネの左右両端部分が押さえられる位置に、チューブ内に装着する。このように構成されたチューブ容器。
【請求項２】
チューブの腹部分の丸みに応じて膨らんだ弾力性のある半円鋼板１の一方の端に突起６をつけ、他方の端に突起を差し込む穴７をあける。このような２枚の鋼板を上下逆に出差し込む形で結合させた円形バネを、チューブの腹部分を押さえたときは上下の膨らみ部分が押さえられ、チューブの背部分を押さえたときは左右両端部分が抑えられる位置に、チューブ内に装着する。このように構成されたチューブ容器。
【発明の詳細な説明】
【技術分野】
【０００１】本発明はチューブ容器の腹部分を押して必要量を抽出したあと、キャップを閉めるまでの間に漏れ出た内容液が取り出し口の周辺に付着して固まり、キャップの開閉を困難にするのを防止するチューブ容器を提供するものである。
【背景技術】
【０００２】空気に触れると固まる性質のある液体を入れるチューブ容器において、腹部分を押して内部の圧力を高めることにより内容液を搾り出すのだが、必要量を出した後も内部圧力が高いままになっているから、キャップを閉めるわずかな間にも内容液が漏れ出すのである。これを防止するためには内部圧力を低く調節できるようにすれば良い。
【発明の開示】
【発明が解決しようとする課題】
【０００３】内部圧力を低くするためには、押さえたことにより凹んだ腹部分４を元に戻すように広げてやれば良い。しかし広げすぎるとチューブ内に空気が侵入して内容物が劣化してしまう。
【課題を解決するための手段】
【０００４】そこで余分な空気が入らず且つ漏れ出ない程度にチューブ内部圧をコントロールすることが必要である。そのためにチューブの腹部分４を押すと内部圧が高まり、チューブの背部分５を押さえると凹んだ腹部分が戻り、結果内部圧力が低くなるような仕組みがあればよいが、通常チューブは鉄でできていていったん凹んだ腹部分は容易に元に戻らない。そこでチューブ内に円形バネを入れることで解決しようとするものである。
【発明を実施するための最良の実施の形態】
【０００５】請求項１について図１、図２に従って説明すると、チューブの腹部分４の丸みに応じて膨らんだ弾力性のある半円鋼板１を上下２枚、逆に合わせて蝶番２で結合させた円形のバネ３は、上下の膨らみ部分を押さえると、弾力性で両端部分が左右に広がり、両端部分を押さえると、円の性質として膨らみ部分が上下に広がる機能を有する。すなわち上下の膨らみ部分を押さえた後、両端部分を左右から押してやれば、膨らみ部分は元に戻ろうとする。このような円形バネを、チューブの腹部分を押さえたときはバネの膨らみ部分が押さえられ、チューブの背部分を押さえたときはバネの両端部分が押さえられる位置に、チューブ内に装着する。これによりチューブ腹部分を押さえて必要な内容液を出した後、直ちにチューブ背部分を押さえることにより凹んだ腹部分を戻し、内部圧をコントロールすることできる。これにより余分な液が漏れ出て抽出口が固まることはない。
【０００６】請求項２について図３に従って説明すると、チューブの腹部分の丸みに応じて膨らんだ弾力性のある半円鋼板の一方の端に突起６をつけ、他方の端に突起を差し込む穴７を開ける。このような２枚の鋼板を上下逆に差し込む形で結合させた円形バネを、チューブの腹部分を押さえたときは円形バネの上下が押さえられ、チューブの背部分を押さえたときは左右が抑えられる位置に、チューブ内に装着する。これにより請求項１の蝶番を使うより簡単に円形バネを作ることができ請求項１と同様の効果が得られる。
【発明の効果】
【０００７】  本発明のチューブを使うことにより、今までキャップが開かなくなり途中で捨てていたものが最後まで使い切ることができるようになる。
【図面の簡単な説明】
【０００８】
【図１】円形バネの斜視図
【図２】本円形バネをチューブ内に装着した透視図
【図３】突起結合による円形バネの斜視図
【符号の説明】
【０００９】１  半円鋼板
２  蝶番
３  円形バネ
４  チューブの腹部分
５  チューブの背部分
６  突起
７  穴
【図１】
2012236645.tif 000003
【図２】
2012236645.tif 000004
【図３】
2012236645.tif 000005
(57)【要約】【課題】吸水フイルタ−の掃除が大変な為、簡単に掃除が出来る風呂用吸水フイルタ−を堤供する。【解決手段】円筒形化学繊維製フイルタ−片端に結束ヒモを付けた物（１）（２）浴槽上部にステンレ−スリング付きキュ−バンを取り付け付ける（３）（４）フイルタ−の中に吸水口を入れる。（７）ステンレ−リングと吸水ホ−スを結束する。（４）（６）これで、風呂用吸水口、吸水ホ−スの汚れを防げるし、通水した時に、浴槽から吸水口が飛び出る事が、防げる所を特徴とする。【選択図】図２
2012236183.tif 000002
【特許請求の範囲】
【請求項１】
円筒形の化学繊維製フイルタ−片端に結束ヒモを付けた物（Ｉ）（２）浴槽上部にステンレ−スリング付きキュ−バンを取りっける。（３）（４）フイルタ−の中に吸水口を入れる。（７）ステンレ−スリングと吸水ホ−スを結束する。（４）（６）を設けた風呂用吸水フイルタ−。［図１］
【発明の詳細な説明】
【技術分野】
【０００１】この発明は、風呂用吸水口及び、ホ−ス汚さない為の、風呂用吸水フイルタ−に関するものである。
【背景技術】
【０００２】従来、風呂用吸水フイルタ−は、吸水口の内部にフイルタ−が有りました。
【発明の開示】
【発明が解決しようとする課題】
【０００３】これは、次のような欠点があった。
（イ）  吸水口の中に、フイルタ−が有る為、吸水口を、外して、中にあるフイルタ−外して、掃除する際フイルタ−に、髪の毛などが、絡み付き、掃除するのが、大変である。
（ロ）  吸水ホ−スに湯垢が付着して、掃除が大変である。
本発明は、以上のような欠点をなくすためになされたものである。
【課題を解決する手段】
【０００４】円筒形の化学繊維製のフイルタ−の一端の口に結束ヒモを付けて（１）ステンレ−スリング付きキュ−ウバンを、浴槽上部に付ける（２）吸水口を、フイルタ−の中に入れて（１）ステンレ−スリング付きキユウバンに、（２）吸水ホ−スを結束ヒモで、固定する（３）
本発明は、以上の構成よりなる風呂用吸水フイルタ−である。
【発明の効果】
【０００５】吸水が修了して、洗濯が終わったら、ステンレ−スリング付きキュ−バンに結束したフイルタ−結束ヒモを外して、フイルタ−から吸水口を抜いて外して、フイルタ−をゴミ箱に捨てて、掃除終了である。
【発明を実施する為の最良の形態】
【０００６】以下、本発明を実施する為の最良の形態について説明する。
円筒形化学繊維製フイルタ−片端に結束ヒモを付けた物（１）（２）浴槽上部にステンレ−スリグ付きキュ−バン（３）（４）フイルタ−を付けて、フイルタ−の中に吸水口を入れる。（７）ステンレースリングと吸水ホ−スを結束する。（４）（６）
【図面の簡単な説明】
【０００７】
【図１】本発明の製品図である。
【図２】本発明の取り付け図である。
【符号の説明】
【０００８】（Ｉ）フイルタ−
（２）結束ヒモ
（３）キュ−バン
（４）ステンレ−スリング
【図１】
2012236183.tif 000003
【図２】
2012236183.tif 000004
(57)【要約】【課題】  レーザー加工した金属平板を左右対称に反対方向に力をかけて変形させることができ、変形させた結果意匠性ある構造物というものがなかった。【解決手段】平板対称金属板の外周と平行に切り込みを入れ、この平行した切込みは該金属版の重心部分に向かって等間隔で幾条にも入れ、この金属の中心線に至る手前でこの切込みを終端した切込み金属板を作り、この切込み金属板の中心線を挟んで左右反対方向の力でねじって装飾用構造物を作る。【選択図】図５
2012236400.tif 000002
【特許請求の範囲】
【請求項１】
平板対称金属板の外周と平行に切り込みを入れ、この平行した切込みは該金属版の重心部分に向かって等間隔で幾条にも入れ、この金属の中心線に至る手前でこの切込みを終端した切込み金属板。
【請求項２】
請求項１記載の前記切込み金属板の中心線を挟んで左右反対方向の力でねじってできた装飾用構造物。
【発明の詳細な説明】
【技術分野】
【０００１】レーザー金属加工から装飾性ある構造物を製造する技術分野である。
【背景技術】
【０００２】レーザー金属加工では細かな直線、局面の加工ができ、その加工後の状態での特定の形で装飾性ある構造物を作ることができる。
【先行技術文献】
【特許文献】
【０００３】
【特許文献１】実登３１３９０７４号
【発明の概要】
【発明が解決しようとする課題】
【０００４】しかしながら、レーザー加工した金属平板を左右対称に反対方向に力をかけて変形させることができ、変形させた結果意匠性ある構造物というものがなかった。
【課題を解決するための手段】
【０００５】この課題を解決するために以下の構造の切込み金属板とそれを使った装飾用構造物にて実現した。平板対称金属板の外周と平行に切り込みを入れ、この平行した切込みは該金属版の重心部分に向かって等間隔で幾条にも入れ、この金属の中心線に至る手前でこの切込みを終端した切込み金属板を作り、この切込み金属板の中心線を挟んで左右反対方向の力でねじって装飾用構造物を作る。
【発明の効果】
【０００６】レーザー加工技術を用いて微細な加工ができるため金属の塑性変形を利用して意匠性のある構造物ができる。
【図面の簡単な説明】
【０００７】
【図１】レーザー加工の図
【図２】レーザー加工した切込み金属板例１
【図３】レーザー加工した切込み金属板例２
【図４】金属版をねじる図
【図５】装飾用構造物例１
【図６】装飾用構造物例２
【発明を実施するための形態】
【０００８】  図１は金属板に切込み３を入れるためのレーザー加工中を示す。図２は図１のレーザー加工を経て作った円形の切込み金属板である。図３は同様に星形の切込み金属板である。本例は円形、星形で示したがこのように金属板が中心線１に対し対称であれば形状は特定されない。図２、図３で示すように金属板の中心線に至る手前で切込みの終端２を設けている。
【０００９】  この終端２と中心線１と終端２の間の部分でねじりの中心部分となり、金属の塑性変形を利用して装飾用構造物を作る。即ち、図４ように切込み金属板を中心線１を挟んで左右対称に反対方向の力でねじる。結果、図５、図６のような装飾用構造物ができる。このねじりを人間の手で行うにはステンレスの場合金属平板の厚さは１．５ｍｍ以下がよく、塑性変形に耐える強度を考えると０．３ｍｍ以上が相応しい。また、終端２から中心線１を経由し終端２までの距離は１ｍｍ〜１．５ｍｍ程度がよい。そして、切り込み線幅は、０．３ｍｍ以上であって、０．５ｍｍ前後がよい。
【符号の説明】
【００１０】  １  中心線
２  中心線手前の切込みの終端
３  切込み
【図１】
2012236400.tif 000003
【図２】
2012236400.tif 000004
【図３】
2012236400.tif 000005
【図４】
2012236400.tif 000006
【図５】
2012236400.tif 000007
【図６】
2012236400.tif 000008
(57)【要約】【課題】本発明は、壁面やファイル表紙裏に貼り付けて少量の書類等を簡単かつ確実に収納することができる壁面貼り付け型書類ポケットを提供するものである。【解決手段】  書類ポケットに於いて、上部より規格書類高さの概ね１／３程度下がった位置よりポケット袋体前側上部を全幅に亘って大きく谷型にカットし、袋体背側上部を全幅に亘って大きく山型にカットし、袋体背側１裏面の縦中心付近に粘着材をつけて壁面に粘着できる構成とした。【選択図】図１
2012236396.tif 000002
【特許請求の範囲】
【請求項１】
従来から使用されている袋体である上部開放の書類ポケットに於いて、上部より規格書類高さの概ね１／３程度下がった位置よりポケット袋体前側上部を全幅に亘って大きく谷型にカットし、袋体背側上部を全幅に亘って大きく山型にカットし、袋体背側裏面の縦中心付近に粘着材をつけて壁面に粘着できる構成とした壁貼り付け型書類ポケット。
【発明の詳細な説明】
【技術分野】
【０００１】  本発明は、少量の書類等を一時的に壁面に収納する壁貼り付け型書類ポケットに関するものである。
【背景技術】
【０００２】  少量の書類を一時的に壁面に収納したい場合は、昔からの状差しや、ファイル表紙裏隅角部挟み込み型ポケット等が利用されている。
【発明の概要】
【発明が解決しようとする課題】
【０００３】  状差しは、硬質材料で作られるので柔軟性がなく、小さいものを中に入れると取出しができない。ファイル表紙裏隅角部挟み込み型ポケットでは、書類の足元を挟みつけて収納する形式であり、差し込む必要があり、簡単に投げ入れることもできず、柔らかい書類では対応できず、下になっている書類を引き抜くと、全体が引き抜けてしまうこともあり、根元だけの保持なので、ファイルを傾ければ書類が前垂れしてしまうし、収納枚数も数枚に限定される。
【課題を解決するための手段】
【０００４】  従来から使用されている袋体である上部開放の書類ポケットに於いて、上部より規格書類高さの概ね１／３程度下がった位置よりポケット袋体前側２上部を全幅に亘って大きく谷型にカットし、袋体背側１上部を全幅に亘って大きく山型にカットし、袋体背側１裏面の縦中心付近に粘着材４をつけて壁面に粘着できる構成とした。
【発明の効果】
【０００５】  袋内に上から手指を入れると、粘着していない両側が浮き上がり、奥まで手が届き、内部の小さい書類も容易に取り出し可能となる（図２）。袋体前側上部を大きく谷型にカットしているので手掛かりし易く、書類投入も極めて容易で、袋体背側上部を大きく山形にカットしているので書類を滑り込ませて挿入し易く、上部で袋の両端が吊り上げられる格好となるので書類が前垂れすることもなく、ファイル表紙裏等に貼り付けて使用しても書類の飛び出しが少ない。【０００６】  また、袋体前側上部を大きく谷型にカットしているので、書類が両側の高くなっている部分で押さえられで、書類を完全に引き出さなくても書類の殆ど全部の位置に文字等を記入することもできる。
【図面の簡単な説明】
【０００７】
【図１】  平面図
【図２】  手を入れた時の横方向断面図
【図３】  書類収納実施例平面図
【発明を実施するための形態】
【０００８】  壁やファイル表紙裏等に貼り付けて使用するが、下辺は隅切り３をしておくと、ゴミ溜りがなくなる。袋幅は標準規格書類幅に合わせて作ると良い。
【０００９】  壁面６に貼り付ける粘着部分は、図例では上下２点の円形のスポットとしているが、横幅の中央付近ならどのような形状でもよく、縦帯状としてもよい。
【００１０】  袋の材質は紙や樹脂シート等にすればよいが、透視度の高い材料にすると、収納書類が確認し易くなる。
【符号の説明】
【００１１】１  袋体背側
２  袋体前側
３  隅切り
４  粘着材
５  手指
６  壁面
７  標準規格書類
８  小さい書類
【図１】
2012236396.tif 000003
【図２】
2012236396.tif 000004
【図３】
2012236396.tif 000005